【手続補正書】
【提出日】平成20年12月15日(2008.12.15)
【手続補正１】
【補正対象書類名】特許請求の範囲
【補正対象項目名】全文
【補正方法】変更
【補正の内容】
【特許請求の範囲】
【請求項１】
1個以上の3G通信ネットワークを使用し短縮されたセットアップ時間でユーザ間のセッションをセットアップする方法であって、1個以上の3G通信ネットワークに連結されたH.324系の少なくとも第1の端末と第2の端末のペア間に提供される方法であって、
コールシグナリング過程の後に前記第1の端末と前記第2の端末との間にベアラチャネルを確立するステップと、
前記第1の端末と前記第2の端末との間のセッションのための1個以上の動作モードと関連した1個以上のプリファレンスであって、前記第1の端末と前記第2の端末との間のセッションのための1個以上のプリファレンスを、前記第1の端末で決定するステップと、
マルチプレクサレベルを決定するステップと、
前記1個以上のプリファレンス、前記マルチプレクサレベルのための１個以上のフラグ、及び、1個以上のメディアストリームをインターリーブするステップと、
前記ベアラチャネルを使用し通信ネットワークの一部を通して、前記1個以上のプリファレンス、前記マルチプレクサレベルのための１個以上のフラグ、及び、前記1個以上のメディアストリームを前記第1の端末から前記第2の端末へと転送するステップと、
を備える方法。
【請求項２】
前記1個以上のプリファレンス、前記マルチプレクサレベルのための１個以上のフラグ、及び、前記1個以上のメディアストリームを転送するステップは、
前記第2の端末から前記ベアラチャネルを介してなんらかのメッセージを受信する前に実行される、
請求項1に記載の方法。
【請求項３】
前記1個以上の動作モードは、
データを搬送すること又はデータを受信することのうちの少なくとも一方のためのプロファイルを含む、
請求項1に記載の方法。
【請求項４】
前記メッセージは、
1個以上の搬送プリファレンスを含む、
請求項1に記載の方法。
【請求項５】
前記1個以上のプリファレンスと前記マルチプレクサレベルのための１個以上のフラグとを、組み合わされたメッセージとして処理するステップをさらに含む、
請求項1に記載の方法。
【請求項６】
前記インターリーブするステップは、
前記1個以上のプリファレンス、前記マルチプレクサレベルのための１個以上のフラグ、付加的な1個以上のプリファレンス、及び、連続的な秩序における前記1個以上のメディアストリームをインターリーブする、
請求項1に記載の方法。
【請求項７】
前記付加的な1個以上のプリファレンスは、
前記1個以上のプリファレンスと同一である、
請求項6に記載の方法。
【請求項８】
前記インターリーブするステップは、繰り返し行われることをさらに含む、
請求項6に記載の方法。
【請求項９】
1個以上の3G通信ネットワークを使用し短縮されたセットアップ時間でユーザ間のセッションをセットアップする方法であって、1個以上の3G通信ネットワークに連結されたH.324系の少なくとも第1の端末と第2の端末のペア間に提供される方法であって、
コールシグナリング過程の後に前記第1の端末と前記第2の端末との間にベアラチャネルを確立するステップと、
前記ベアラチャネルを使用し、通信ネットワークの一部を通じて、前記第1の端末と前記第2の端末との間のセッションのための１個以上のプリファレンスを、前記第2の端末で受信するステップと、
前記ベアラチャネルを使用し、通信ネットワークの一部を通じて、マルチプレクサレベルのための１個以上のフラグを、前記第2の端末で受信するステップと、
前記ベアラチャネルを使用し、通信ネットワークの一部を通じて、１個以上のマルチメディアストリームを、前記第2の端末で受信するステップと、
を備え、
前記１個以上のプリファレンスは、前記第1の端末と前記第2の端末との間のセッションのための1個以上の動作モードと関連しており、
前記1個以上のプリファレンス、前記1個以上のマルチプレクサレベルのための１個以上のフラグ、および１個以上のメディアストリームはインターリーブされており、前記第２の端末は、ベアラチャネルの確立時にメディアストリームを受信できるよう適合されている、
ことを特徴とする方法。
【請求項１０】
前記第2の端末は、
前記ベアラチャネルが確立された時間から、往復時間の半分よりも短い時間に1個以上のメディアストリームを受信するよう適合されている、
請求項9に記載の方法。
【請求項１１】
前記ベアラチャネルを確立するステップと前記1個以上のメディアストリームを受信するステップとの時間差は、
往復時間の半分よりも短い、
請求項９に記載の方法。
【請求項１２】
前記1個以上の動作モードは、
データを受信するためのプロファイルを含む、
請求項９に記載の方法。
【請求項１３】
1個以上の3G通信ネットワークを使用し短縮されたセットアップ時間でユーザ間のセッションをセットアップする方法であって、1個以上の3G通信ネットワークに連結されたH.324系の少なくとも第1の端末と第2の端末のペア間に提供される方法であって、
前記第1の端末と前記第2の端末との間にベアラチャネルを確立するステップと、
セッションコンフィギュレーションを確立する前に前記第1の端末から前記第2の端末へとメディアを転送するステップと、
前記セッションコンフィギュレーションのために1個以上のプリファレンスを伴うメッセージを前記第1の端末から前記第2の端末へと転送するステップと、
を備える方法。
【請求項１４】
前記セッションコンフィギュレーションのための1個以上のプリファレンスは、
前記メディアとともにインターリーブされた１つ以上のメッセージによりシグナルされる、
請求項1３に記載の方法。
【請求項１５】
前記セッションコンフィギュレーションを確立する前にメディアを転送するステップは、
従来のセットアップ技術と比較して短縮されたセットアップ時間により特徴付けられた、短縮セットアップ時間技術を備える、
請求項1３に記載の方法。
【請求項１６】
前記セットアップ時間は、
2往復時間と実質的に同じか、それよりも短い、
請求項1５に記載の方法。
【請求項１７】
前記セットアップ時間は、
1往復時間と実質的に同じか、それよりも短い、
請求項1５に記載の方法。
【請求項１８】
前記セットアップ時間は、
2分の1往復時間と実質的に同じか、それよりも短い、
請求項1５に記載の方法。
【請求項１９】
1個以上の3G通信ネットワークを使用し短縮されたセットアップ時間でのユーザ間のセッションをセットアップする方法であって、1個以上の3G通信ネットワークに連結されたH.324系の少なくとも第1の端末と第2の端末のペア間に提供される方法であって、
前記第1の端末と前記第2の端末との間のセッションの1個以上の動作モードに関連した1個以上のプロファイルをあらかじめ定義する1個以上のテーブルを、メモリ上に保存して提供するステップと、
コールシグナリング過程により第1の端末と第2の端末との間にベアラチャネルを確立するステップと、
前記ベアラチャネル上で搬送される1個以上のカスタムメッセージの中の1個以上のあらかじめ定義されたプロファイルを指し示すステップと、
前記1個以上のあらかじめ定義されたプロファイルのうちの少なくともひとつを特定する、セッションのための1個以上のプリファレンスを、前記第2の端末で受信するステップと、
受信される前記1個以上のプリファレンスに部分的に基づいて、コールのための動作モードを、前記第2の端末で決定するステップと、
1個以上のあらかじめ定義されたプロファイルのうちの少なくともひとつと調和するコールのための動作モードを、前記ベアラチャネルを通して、確立するステップと、
を備える方法。
【請求項２０】
前記1個以上のあらかじめ定義されたプロファイルは、
コーデック、論理チャネル番号、マルチプレクサテーブルエントリー、及び、マルチプレクサテーブルエントリー番号のうちの少なくともひとつを備える、
請求項１９に記載の方法。
【請求項２１】
前記1個以上のあらかじめ定義されたプロファイルに含まれるプロファイルは、
コーデック、論理チャネル番号、マルチプレクサテーブルエントリー、及び、マルチプレクサテーブルエントリー番号を備える、
請求項１９に記載の方法。
【請求項２２】
前記プロファイルは、
GSM-AMRコーデック、論理チャネル番号1、マルチプレクサテーブルエントリー「1のUCF」、及び、マルチプレクサテーブルエントリー番号1を備える、
請求項２１に記載の方法。
【請求項２３】
前記プロファイルは、
H.263コーデック、論理チャネル番号2、マルチプレクサテーブルエントリー「2のUCF」、及び、マルチプレクサテーブルエントリー番号2を備える、
請求項２１に記載の方法。
【請求項２４】
コールコンフィギュレーションに対する以降の変更は、
従来のH.245手続を使用して取り決められる、
請求項１９に記載の方法。
【請求項２５】
前記第２の端末から、第２のマルチプレクサレベルのための、第２の１個以上のフラグを受信した後に、前記１個以上のプリファレンスと前記１個以上のメディアストリームと、の搬送を取りやめる、
請求項１に記載の方法。
【請求項２６】
前記セッションコンフィギュレーションに基づいてセッションを確立した後に、前記メディアの搬送を取りやめること、
をさらに備える請求項１３に記載の方法。
【請求項２７】
前記セッションコンフィギュレーション、および前記メディアのための前記１個以上のプリファレンスは、前記メッセージに含まれる、
請求項１３に記載の方法。
【請求項２８】
短縮されたセットアップ時間で、1個以上の3G通信ネットワークを介して接続された他のH.324系の端末との間にセッションをセットアップする、H.324系の端末であって、
前記他の端末との間に所定のコールシグナリング処理を実行した後に、ベアラチャネルを確立する手段と、
前記他の端末との間のセッションの、1個以上の動作モードと関連した1個以上のプリファレンスであって、前記他の端末との間のセッションの前記1個以上のプリファレンスを決定する手段と、
マルチプレクサレベルを決定する手段と、
前記1個以上のプリファレンス、前記マルチプレクサレベルのための１個以上のフラグ、及び、1個以上のメディアストリームをインターリーブする手段と、
前記ベアラチャネルを使用し通信ネットワークの一部を通して、前記1個以上のプリファレンス、前記マルチプレクサレベルのための１個以上のフラグ、及び、前記1個以上のメディアストリームを第1の端末から第2の端末へと転送する手段と、
を備える端末。
【請求項２９】
短縮されたセットアップ時間で、1個以上の3G通信ネットワークを介して接続されたH.324系の他の端末との間にセッションをセットアップする、H.324系の端末であって、
前記他の端末との間に、コールシグナリング処理を実行した後に、ベアラチャネルを確立する手段と、
前記他の端末との間のセッションのための1個以上の動作モードと関連した1個以上のプリファレンスであって、前記他の端末との間のセッションのための前記1個以上のプリファレンスを、前記他の端末から前記ベアラチャネルを使用し通信ネットワークの一部を通じて受信する手段と、
前記ベアラチャネルを使用し通信ネットワークの一部を通して、マルチプレクサレベルのための１個以上のフラグを、前記他の端末から受信する手段と、
1個以上のメディアストリームを、前記他の端末から前記ベアラチャネルを使用し通信ネットワークの一部を通じて受信する手段と、
を備え、
前記1個以上のプリファレンス、前記マルチプレクサレベル、及び、前記1個以上のメディアストリームはインターリーブされており、前記端末は、前記ベアラチャネルの確立時に、前記1個以上のメディアストリームを受信できるよう適合される、
ことを特徴とする端末。